(57)【要約】【課題】使用者に長期に渡り使用される起き上がり小法師を提供することである。【解決手段】中空の揺動体２と、揺動体２の内部に設置される内部構成手段４と、を備え、内部構成手段４は、揺動体２を揺動させるための第一錘体６と、揺動体２が揺動したときに音を発生させる音発生手段７と、音発生手段７を収納するケース５と、ケース５の上側を揺動体２に固定する固定手段８と、を有することを特徴とする、起き上がり小法師１である。【選択図】図２
2019170789.tif 000002
【特許請求の範囲】
【請求項１】
中空の揺動体と、
前記揺動体の内部に設置される内部構成手段と、を備え、
前記内部構成手段は、
前記揺動体を揺動させるための第一錘体と、
前記揺動体が揺動したときに音を発生させる音発生手段と、
前記音発生手段を収納するケースと、
前記ケースの上側を前記揺動体に固定する固定手段と、を有する
ことを特徴とする起き上がり小法師。
【請求項２】
前記揺動体は、上部揺動体と下部揺動体と、を有し、
前記固定手段は、前記上部揺動体の内部に移動不能に配置された固定部材である、
請求項１に記載の起き上がり小法師。
【請求項３】
前記固定部材は、環状に形成されており、前記ケースの上側と当接する第一固定部材である、
請求項２に記載の起き上がり小法師。
【請求項４】
前記固定部材は、板状に形成されており、前記ケースの上端と当接する第二固定部材である、
請求項２に記載の起き上がり小法師。
【請求項５】
前記第二固定部材は、上面に第二装飾部が形成されている、
請求項４に記載の起き上がり小法師。
【請求項６】
前記上部揺動体及び前記下部揺動体は、少なくとも一方又は双方が、透明若しくは半透明の合成樹脂で形成され、
前記上部揺動体及び前記下部揺動体は、少なくとも一方又は双方が、内面の少なくとも一部に、第一装飾部が形成されている、
請求項１〜請求項５の何れか一項に記載の起き上がり小法師。
【請求項７】
前記ケースは、外周面に第三装飾部が形成されている、
請求項６に記載の起き上がり小法師。
【請求項８】
前記内部構成手段は、前記揺動体の揺動を不規則にするための揺動手段を有する、
請求項１〜請求項７の何れか１項に記載の起き上がり小法師。
【請求項９】
前記揺動手段は、前記揺動体を径方向の一方向に他の径方向と異なる揺動をさせるための、第二錘体を備える、
請求項８に記載の起き上がり小法師。
【発明の詳細な説明】
【技術分野】
【０００１】
本発明は、起き上がり小法師と称される玩具に関するものである。
【背景技術】
【０００２】
従来から、起き上がり小法師は、主として子供向けの玩具として古くから広く世間に普及している。起き上がり小法師は、一般的に、球体状を呈した中空の玩具本体の外側の面に絵や図形や模様が施されており、卓上に置いて軽く押して手を放すと、何回か半径方向のいずれの方向に揺動した後、錘体の力で元位置に戻って静止するものである。
【０００３】
起き上がり小法師は、遊戯性を高めるため、様々なものが提案されている。例えば、特許文献１には、内部に音発生装置や錘体を収容させており、揺動した際に音発生装置からカランコロンという様々に音程の異なる音が生じる起き上がり小法師が提案されている。
【先行技術文献】
【特許文献】
【０００４】
【特許文献１】実用新案登録第３１９４７８９
【発明の概要】
【発明が解決しようとする課題】
【０００５】
しかし、例えば乳児や幼児に起き上がり小法師が使用される場合には、起き上がり小法師が投げられたりする等の想定外の方法で使用される場合があり、それが長期に渡ると、揺動したときに所望の音が聞くことが難しくなり、使用者が興味を失って使用を辞めてしまうことがあった。そのため、起き上がり小法師の需要を拡大するためには、長期に渡り想定外の使用がされた場合であっても、揺動したときに所望の音が聞くことができる必要がある。
以上より、本発明が解決しようとする課題は、使用者に長期に渡り使用される起き上がり小法師を提供することである。
【課題を解決するための手段】
【０００６】
上記目的を達成するために本発明に係る起き上がり小法師は、中空の揺動体と、
前記揺動体の内部に設置される内部構成手段と、を備え、前記内部構成手段は、前記揺動体を揺動させるための第一錘体と、前記揺動体が揺動したときに音を発生させる音発生手段と、前記音発生手段を収納するケースと、前記ケースの上側を前記揺動体に固定する固定手段と、を有することを特徴とする。
【０００７】
前記揺動体は、上部揺動体と下部揺動体と、を有し、前記固定手段は、前記上部揺動体の内部に移動不能に配置された固定部材であることが好ましい。
【０００８】
前記固定部材は、環状に形成されており、前記ケースの上側と当接する第一固定部材であることが好ましい。
【０００９】
前記固定部材は、板状に形成されており、前記ケースの上端と当接する第二固定部材であることが好ましい。
【００１０】
前記第二固定部材は、上面に第二装飾部が形成されていることが好ましい。
【００１１】
前記上部揺動体及び前記下部揺動体は、少なくとも一方又は双方が、透明若しくは半透明の合成樹脂で形成され、前記上部揺動体及び前記下部揺動体は、少なくとも一方又は双方が、内面の少なくとも一部に、第一装飾部が形成されていることが好ましい。
【００１２】
前記ケースは、外周面に第三装飾部が形成されていることが好ましい。
【００１３】
前記内部構成手段は、前記揺動体の揺動を不規則にするための揺動手段を有することが好ましい。
【００１４】
前記揺動手段は、前記揺動体を径方向の一方向に他の径方向と異なる揺動をさせるための、第二錘体を備えることが好ましい。
【発明の効果】
【００１５】
本発明は、以上のように構成したので、使用者に長期に渡り使用される起き上がり小法師を提供することができる。
【図面の簡単な説明】
【００１６】
【図１】本発明に係る起き上がり小法師の第１実施形態の正面図である。
【図２】図１に示した起き上がり小法師の分解斜視図である。
【図３】図１に示した起き上がり小法師の縦断面図である。
【図４】（ａ）は、起き上がり小法師の使用状態を説明するための横断面図であり、（ｂ）及び（ｃ）は、（ａ）の一部拡大図であり、時系列順に並んでいる。
【図５】（ａ）〜（ｃ）は、起き上がり小法師の使用状態を説明するための縦断面図である。
【図６】本発明に係る起き上がり小法師の第２実施形態の正面図である。
【図７】図６に示した起き上がり小法師の縦断面図である。
【図８】（ａ）及び（ｂ）は、本発明に係る起き上がり小法師の第３実施形態の正面図である。
【図９】（ａ）〜（ｃ）は、図８の起き上がり小法師の揺動について説明するための説明図である。
【発明を実施するための形態】
【００１７】
以下、図面を参照しつつ、本発明に係る起き上がり小法師の第１実施形態について説明する。
【００１８】
〔第１実施形態〕
起き上がり小法師１は、図１に示すように、例えば机などに載置された静止状態で、その上下を貫通する軸方向に直交する半径方向において、３６０°のいずれかの方向に手で押した後に手を離すと、程良い回数だけ揺動して、揺動により音声を発生させながら自然に揺動幅を減少させて、元の静止状態に戻るものである。
【００１９】
起き上がり小法師１は、図２に示すように、中空の揺動体２と、揺動体２の中空に内部構成手段４と、を有する。
起き上がり小法師１は、内部構成手段４を構成するケース５を下側と上側の両側で固定することで、ケース５を揺動体２に確りと固定できる。このため、投げられたり、必要以上に強い力で押されたりと、想定外の使用をされた場合でも、長期に渡り使用されることができる。
【００２０】
以下に、起き上がり小法師１を構成する各要素について説明する。
なお、本明細書において、静止状態の起き上がり小法師１が載置されている机等と接触する側を軸方向の下側とし、その反対側を軸方向の上側とするが、下側と上側は相対的なものである。
【００２１】
＜揺動体２＞
揺動体２は、図２に示すように、上側に上部揺動体２ａと、下側に上部揺動体２ａと繋がる下部揺動体３ａとを有する。
上部揺動体２ａと下部揺動体３ａは、薄いが自己保形性を有する合成樹脂製のシートで作られている。
【００２２】
＜上部揺動体２ａ＞
上部揺動体２ａは、図２に示すように、下側に開口部２ｂが形成されている第一胴部２ｃと、第一胴部２ｃと軸方向の上側で繋がる第二胴部２ｄと、第二胴部２ｄと軸方向の上側で繋がる第三胴部２ｅと、を有する。
【００２３】
第一胴部２ｃは、図３に示すように、軸方向の下側が、後述するように、開口部２ｂに嵌め込まれる下部揺動体３ａの差し込み部３ｄと重合する。第一胴部２ｃは、この差し込み部３ｄと重合する部分の内径が、下部揺動体３ａの差し込み部３ｄの外径よりも僅かに大きい。また、後述するケース５の上蓋５ｂの直径よりも大きい。
【００２４】
第二胴部２ｄは、図２に示すように、その内面に、後述する固定手段８を構成する第一固定部材８ａが取付けられる。
第二胴部２ｄは、内周面の一部で、第一固定部材８ａと当接するように形成されている。具体的には、軸方向の上側に向かって、内径が小さくなるように形成されている。つまり、第二胴部２ｄの内面に傾斜面が形成されている。これにより、第一固定部材８ａを軸方向の上側に入れていくと、軸方向の所望の位置で、第一固定部材８ａを第二胴部２ｄに当接させることができる。
【００２５】
第三胴部２ｅは、図３に示すように、下端が、第二胴部２ｄの上端と繋がっている。
第三胴部２ｅは、起き上がり小法師が表現するキャラクターに応じて、所望の形状に形成することが可能である。
【００２６】
上部揺動体２ａは、適宜着色された熱可塑性樹脂により形成されている。そのため、上部揺動体２ａを通して、揺動体２の内部を視認することはできない。
上部揺動体２ａの形成に用いられる熱可塑性樹脂としては、公知のものを適宜用いることができるが、例えば、ＡＢＳ（Ａｃｒｙｌｏｎｉｔｒｉｌｅ  Ｂｕｔａｄｉｅｎｅ  Ｓｔｙｒｅｎｅ）などが挙げられる。
【００２７】
上部揺動体２ａの外面には、第一装飾部２ｄが形成されている。第一装飾部２ｄは、上部揺動体２ａの外面を外側から見られるのを想定して施されている。
第一装飾部２ｄは、上部揺動体２ａに成形される前の円板に塗布された塗料により形成される。
第一装飾部２ｄは、上部揺動体２ａの外面の略全てに施されていてもよく、外面の一部にのみ施されていてもよい。
【００２８】
＜下部揺動体３ａ＞
下部揺動体３ａの上側には、図２に示すように、上側に開口部３ｂを有している。
下部揺動体３ａは、上側の外周が少し小径に形成されて、上部揺動体２ａに嵌め込まれる差し込み部３ｄが形成されている。
【００２９】
下部揺動体３ａは、図２に示すように、ほぼ真球体を半分にした形状であるが、この形状に限られず、机などの上に載置したときに、起き上がり小法師１が揺動可能になる形状であれば足り、起き上がり小法師が表現するキャラクターに応じて、所望の形状に形成することが可能である。例えば、下部揺動体３ａは、真球体を半分にした形状に形成されていてもよく、反対に、より緩やかな湾曲形状に形成していてもよい。
【００３０】
下部揺動体３ａは、適宜着色された熱可塑性樹脂により形成されている。そのため、下部揺動体３ａを通して、揺動体２の内部を視認することはできない。下部揺動体３ａは、上部揺動体２ａと異なる色で着色されていてもよく、同じ色で着色されていてもよい。
下部揺動体３ａの形成に用いられる熱可塑性樹脂としては、公知のものを適宜用いることができるが、例えば、ＡＢＳ（Ａｃｒｙｌｏｎｉｔｒｉｌｅ  Ｂｕｔａｄｉｅｎｅ  Ｓｔｙｒｅｎｅ）などが挙げられる。
【００３１】
以上のように構成される揺動体２は、図３に示すように、上部揺動体２ａの開口部２ｂに下部揺動体３ａの差し込み部３ｄを嵌め込んだ上で、嵌め込んだことにより形成された重合部分を接着剤で接着することによって形成されている。
【００３２】
＜内部構成手段４＞
内部構成手段４は、起き上がり小法師１を揺動させ、さらに揺動させたときに、音を発生させるためのものである。
内部構成手段４は、図２に示すように、円筒状のケース５と、ケース５の内部に取付けられた第一錘体６と、ケース体４の内部で第一錘体６よりも上側に取り付けられた音発生手段７と、ケース５の上側を揺動体２に固定するための固定手段８と、を有する。
【００３３】
＜ケース５＞
ケース５は、図２に示すように、上端から下端が同じ直径の円筒状の本体５ａと、本体５ａの上側の開口部に取付けられた上蓋５ｂとを有する。
本体５ａは、内径が、第一錘体６の外径と同じか、僅かに小さい。これにより、第一錘体６を本体５ａに中間ばめの状態で係合させることができる。そして、本体５ａと第一錘体６の重合部分が接着剤により接着される。これにより、第一錘体６の外周面と本体５ａの内面とを接着させることにより、ケース５の内部に第一錘体６を設置させることができる。これにより、ケース５を下部揺動体３ａに設置することにより、第一錘体６を揺動体２の内部に設置することができる。
本体５ａは、厚紙により形成されているが、軽い素材であれば、例えば合成樹脂などで形成されていてもよい。
【００３４】
上蓋５ｂは、図２及び図３に示すように、円板状の底部と底部の周縁から下側に立ち上がる側壁と、を有する。
上蓋５ｂは、本体５ａの上側の開口部を塞ぐように取り付けたときに、側壁の内周面が、本体５ａの上端の外周面と接触するように形成されている。
上蓋５ｂの底部の下面中央部には、後述する音発生手段７を構成する打撃槌部７ｈを吊り下げるための吊り紐７ｉが取付けられる、吊下げ部材５ｄが設けられている。
吊下げ部材５ｄは、回転したり揺動したりしないように、その基端が上蓋５ｂに固定されている。これにより、吊下げ部材５ｄが回転や動くことにより、音質が変化するのを防ぐことができる。
【００３５】
吊下げ部材５ｄの先端には、吊り紐７ｉを挿通するための環状の挿通孔５ｅが形成されている。
挿通孔５ｅの内径は、吊り紐７ｉの直径よりも大きい。このため、揺動体２が揺動した際に、その揺動により吊り紐７ｉを揺動させることができる。
【００３６】
吊り紐７ｉを介して打撃槌部７ｈが取り付けられた上蓋５ｃは、その側壁の内周面が本体５ａに当接された状態で、その重合部分が接着剤で接着される。なお、上蓋５ｃは本体５ａに圧入により取付けられるように形成されていてもよい。
【００３７】
以上のように構成されるケース５は、図３に示すように、上蓋５ｂの中心を軸方向に通る中心軸が、揺動体２を上下に貫通する中心軸と一致するように、上部揺動体２ａと下部揺動体３ａに取付けられる。
【００３８】
＜第一錘体６＞
第一錘体６は、揺動体２を繰り返し揺動させるためのものである。
第一錘体６は、金属製であり、図２に示すように、リング状に形成されている。
第一錘体６は、上面の周縁部に、後述する振動発音棒７ａ〜７ｇの下端が挿入される挿入穴６ａが、所定の間隔を隔てて環状に、振動発音棒の数だけ形成されている。つまり、第一錘体６は、振動発音棒７ａ〜７ｇの安定保持部材としての機能も有する。このように、第一錘体６に、安定保持部材としての機能と振動伝達部材としての機能を持たせることにより、部品点数を減らすことができ、製造コストを抑えることができる。
第一錘体６は、ケース５の内部で、側周面が本体５ａと接触するように取り付けられる。このように、第一錘体６は、第一錘体６に設置された振動発音棒７ａ〜７ｇの振動をケース５に伝達する振動伝達部材としての機能も有する。
第一錘体６は、その外周面が本体５ａに当接された状態で、その重合部分が接着剤で接着される。
【００３９】
＜音発生手段７＞
音発生手段７は、起き上がり小法師１が揺動したときに、音を発生させるためのものである。
音発生手段７は、図２に示すように、環状に配置される振動発音棒７ａ〜７ｇと、振動発音棒７ａ〜７ｇよりも半径方向の内側に揺動可能に配置された打撃槌部７ｈと、打撃槌部７ｈをケース５の内部に吊り下げるための吊り紐７ｉとを有する。
【００４０】
振動発音棒７ａ〜７ｇは、図２に示すように、それぞれの長さが異なっている。具体的には、本実施形態では、振動発音棒７ａが一番長く形成され、振動発音棒７ｇが一番短く形成され、振動発音棒７ａから振動発音棒７ｇまで、これらの７つの振動発音棒の長さが次第に短くなるように形成されている。
振動発音棒７ａ〜７ｇは、振動発音棒７ａから順に、振動発音棒７ｇまで、時計回りに配置されている。
振動発音棒７ａ〜７ｇは、ケース５の内部で、下端が第一錘体６に形成された挿入穴６ａに挿入されて固定されている。
【００４１】
振動発音棒７ａ〜７ｇは、図４（ａ）に示すように、ケース５の内部で、均等な間隔を隔てて、同心円上に配置されている。換言すると、振動発音棒７ａ〜７ｇは、正七角形又は略正七角形の各頂点上に配置されている。このため、図４（ａ）に示すように、振動発音棒７ａ〜７ｇが配置されている同心円の中心点Ｃ１を通る半径方向の直線Ｌの上において、１つの振動発音棒のみ配置されている。これにより、起き上がり小法師１は、使用されるごとに、異なる音の組合せを発生させることができる。
【００４２】
具体的には、起き上がり小法師１は、使用者により押されると、図５（ｂ）に示すように、押された方向へ揺動した後に、第一錘体６により元の位置に戻り、図５（ｃ）に示すように、更にその反動により反対へ揺動する。打撃槌部７ｈは、揺動体２が揺動したときに、その揺動した方向に移動して、図４（ｂ）に示すように、打撃槌部７ｈの中心点Ｃ２と、当接した振動発音棒が同一の直線Ｌの上にある場合には、図４（ｃ）に示すように、振動発音棒に当たった打撃槌部７ｈは、移動してきた軌道を反復するようにして、その反対側に移動することがある。このため、同一の直線Ｌの上に、２つの振動発音棒が配置されている場合には、対向する２つの振動発音棒に交互に当たる場合がある。しかし、直線Ｌの上において、１つの振動発音棒のみ配置されているので、２つの振動発音棒に交互に当たることを防止でき、異なる音の組合せを発生させることができる。
【００４３】
打撃槌部７ｈは、ケース５が揺動した際に、振動発音棒７ａ〜７ｇに当たり音を発生させるためのものである。
打撃槌部７ｈは、金属製であり、図２に示すように、円盤状に形成されている。
打撃槌部７ｈの上面には、吊り紐７ｉの一端が取付けられている。
打撃槌部７ｈは、半径方向において、３６０°のいずれの方向にも揺動可能に吊り紐７ｉに吊下げられている。
【００４４】
吊り紐７ｉは、打撃槌部７ｈが、吊下げ部材５ｄを介してケース５の上蓋５ｂに揺動可能に取付けられるためのものである。
吊り紐７ｉは、図２に示すように、一方が打撃槌部７ｈに固定されている。そして、他方は、その端付近が折り曲げられて折り曲げ部が形成され、その折り曲げ部が上蓋５ｂに設けられた吊下げ部材５ｄの挿通部５ｅに貫通されていることにより、図３に示すように、上蓋５ｂに吊り下げられている。
【００４５】
吊り紐７ｉの長さは、起き上がり小法師１を揺動させたときに、心地よい音が発生するように、音発生手段７ａ〜７ｇと打撃槌部７ｈが、軸方向の所望の位置で接触できる長さとなっている。そして、吊り紐７ｉは、金属製であり、打撃槌部７ｈが揺動したときに撓むことがないので、打撃槌部７ｈを音発生手段７ａ〜７ｇと軸方向の所望の位置で接触させることができる。
【００４６】
以上のように構成される音発生手段７は、図５に示すように、起き上がり小法師１の揺動時に、打撃槌部７ｈは、揺動体２の揺動方向により振動発音棒７ａ〜７ｇの何れかに当接する。そして、静止状態になるまで、所定の大きさで揺動体２が揺動するごとに、振動発音棒７ａ〜７ｇの何れかに打撃槌部７ｈが当たることにより、様々な音の組合せを生じさせる。
【００４７】
＜固定手段８＞
固定手段８は、起き上がり小法師１の内部に設置された円筒状のケース５を、一端側だけでなく、他端側でも固定するためのものである。
具体的には、本実施形態では、図３に示すように、ケース５の下端が、下部揺動体３ａに当接しており、接着剤等により固定されている。このように、ケース５が揺動体２の中に固定されるためには、少なくとも、ケース５の一カ所が固定されている必要がある。固定手段８は、さらにケース５を固定することにより、例えば、起き上がり小法師１が投げられたとしても、ケース５が揺動体２の中で所望の位置に維持できる。
本実施形態において、固定手段８は、環状の第一固定部材８ａにより構成されている。
【００４８】
第一固定部材８ａは、図３に示すように、自身が上部揺動体２ａの第二胴部２ｄに固定されるための固定部８ｂと、固定部８ｂと繋がり、ケース５と当接する当接部８ｃと、を有する。
【００４９】
固定部８ｂは、図３に示すように、上側の開口部と下側の開口部の外径がほぼ等しい円筒状である。
第二胴部２ｄは、内面に軸方向の上側に向かって中心軸に近くなる次第に内径が小さくなる傾斜面が形成されている。そのため、第一固定部材８ａが第二胴部２ｄに当接すると、固定部８ｂと第二胴部２ｄの間に、上側に向かって次第に幅が小さくなる環状の隙間が形成される。その隙間に接着剤を投入することより、第一固定部材８ａを上部揺動体２ａに容易に取り付けることができる。
【００５０】
当接部８ｃは、図２に示すように、固定部８ｂの上側の周縁から半径方向の内側に伸びて、環状に形成されている。つまり、当接部８ｃには、上下を貫通する孔８ｄが形成されている。
孔８ｄには、ケース５が上蓋５ｂから挿入される。孔８ｄの縁は、ケース５が上蓋５ｂから挿入されるとケース５の上蓋５ｂの所望の位置と当接する。
【００５１】
第一固定部材８ａが上蓋５ｂと当接することにより、起き上がり小法師１の使用時に、第一固定部材８ａを設けていない場合とほぼ同様に、ケース５の本体５ａを振動させることができる。
【００５２】
＜起き上がり小法師１により奏される効果＞
次に起き上がり小法師１により奏される効果について説明する。
起き上がり小法師１は、図３に示すように、上部揺動体２ａに取り付けられた第一固定部材８ａにより、ケース５を上側と下側で確りと固定される。このため、長期に渡る想定外の使用に耐えられる強度を得ることができるので、必要以上に強い力で押されたりと、想定外の使用をされた場合でも、長期に渡り使用されることができる。このため、例えば、起き上がり小法師１が幼児や乳幼児等に使用される場合であっても、長期に渡り使用されることができる。
【００５３】
また、図２に示すように、第一固定部材８ａが環状に形成されていることにより、起き上がり小法師１が半径方向において、３６０°の何れかの方向に揺動しても、ケース５の上側を確りと固定することができる。
【００５４】
さらに、図３に示すように、第一固定部材８ａがケース５の上側に取付けられている上蓋５ｂと当接することにより、起き上がり小法師１の使用時に、第一固定部材８ａを設けていない場合とほぼ同様に、ケース５の本体５ａを振動させることができる。
【００５５】
さらにまた、上部揺動体２ａの形状により、上部揺動体２ａの開口部２ｂから挿入されたケース５の上蓋５ｃが、揺動体２が形成されたときに、当接部８ｃに形成された孔８ｄに嵌まり込むように、第一固定部材８ａを簡単に取り付けることができる。このため、製作者の作業効率を上げることができる。
また、後述する起き上がり小法師１の形成工程を、従来よりも迅速かつ容易に行うことができる。つまり、下部揺動体９ｃにケース５を固定するのに接着剤を用いる場合は、第一固定部材８ａを設けるまでは、ケース５の位置がずれないように接着剤が固まるのを待つ必要があるのに対し、第一固定部材８ａによりケース５の位置を維持できるので、接着剤でケース５を下部揺動体９ｃに取付けた後すぐに、下部揺動体９ｃと上部揺動体２ａを嵌め合わせることができる。
【００５６】
＜起き上がり小法師１の製造方法＞
次に、起き上がり小法師１の製造方法について説明する。
起き上がり小法師１の製造方法は、上部揺動体２ａと下部揺動体３ａの成型工程、内部構成手段４の設置工程、及び起き上がり小法師１の形成工程を含む。以下に、各工程について説明する。
なお、以下に説明する起き上がり小法師１の製造方法は、一例であり、これに限定されない。また、既にケース５の内に第一錘体６と音発生手段７を設置してあるものとする。
【００５７】
＜上部揺動体２ａと下部揺動体３ａの成型工程＞
最初に、上部揺動体２ａと下部揺動体３ａの成型工程について説明する。
上部揺動体２ａと下部揺動体３ａは、真空成形により製造する。
具体的には、シート状に形成されたＡＢＳ樹脂を、プレスで打ち抜き円板を形成させる。そして、形成させた円板の面のうち、成型したときに外面になる側の面に、成形したときに所望の絵図となるように顔料を塗布する。顔料が塗布された円板を、真空成形型を用いて上部揺動体２ａと下部揺動体３ａを作製する。
【００５８】
上部揺動体２ａと下部揺動体３ａを真空成形で製造した肉薄のものを用いることにより、音の伝達が阻害されるのを軽減することができ、音の改善を図ることができる。
【００５９】
＜内部構成手段４の設置工程＞
本工程は、固定手段８を上部揺動体２ａに取り付ける工程と、音発生手段７を下部揺動体３ａに取り付ける工程とを有する。
最初に、固定手段８を上部揺動体２ａに取り付ける工程について説明する。
まず、第一固定部材８ａを上部揺動体２ａに入れる。第一固定部材８ａを軸方向の上側に入れていくと、軸方向の所望の位置で、第一固定部材８ａが第二胴部２ｄに当接するので、固定部８ｂと第二胴部２ｄの隙間に接着剤を投入する。これにより、固定手段８を上部揺動体２ａに取り付けることができる。
【００６０】
次に、音発生手段７を下部揺動体３ａに取り付ける工程について説明する。この工程において、音発生手段７が設置されたケース５を、下部揺動体３ａに接着剤などを用いて取付ける。これにより、第一錘体６と、音発生手段７を揺動体２の中に設置することができる。
【００６１】
＜起き上がり小法師１の形成工程＞
次に、起き上がり小法師１の形成工程について説明する。
本工程において、上述する内部構成手段４の設置工程により、音発生手段７が取り付けられた下部揺動体３ａを、第一固定部材８ａが取り付けられた上部揺動体２ａに嵌める。
具体的には、上部揺動体２ａの開口部２ｂを、下部揺動体３ａの差し込み部３ｄを嵌め込む。そうすると、ケース５の上蓋５ｂが、第一固定部材８ａの孔８ｄに挿入される。これにより、ケース５の上側が第一固定部材８ａにより固定される。
【００６２】
そして、上部揺動体２ａの開口部２ｂを、下部揺動体３ａの差し込み部３ｄを嵌め込んだことにより形成された重合部分を接着剤で接着する。これにより、揺動体２が形成され、起き上がり小法師１が完成する。
【００６３】
＜起き上がり小法師１の使用状態＞
次に起き上がり小法師１の使用状態について説明する。
起き上がり小法師１を使用する際には、通常、図４に示すように、起き上がり小法師１を机やテーブルの上に置き、半径方向の３６０°いずれかの方向（図４において、例えば右方向）に使用者が手で押してから、その手を離す。
【００６４】
押された起き上がり小法師１は、押された方向へ揺動した後に、第一錘体６により元の位置に戻り、更にその反動により元の位置を通過して反対側（図４において、左方向）へ揺動した後に、第一錘体６により元の位置に戻る。このため、打撃槌部７ｈは、振動発音棒７ａ〜７ｇのうち、押された側に配置された振動発音棒と、その反対側の振動発音棒に交互に当たる。そして、起き上がり小法師は、この規則的な動作を数回繰り返した後、元の位置で停止する。
【００６５】
一方、想定外の使用方法、例えば、半径方向の３６０°いずれかの方向に必要以上に強い力で押されることや、起き上がり小法師１が投げられることもある。その場合でも、本実施形態の起き上がり小法師１は、ケース５が第一固定部材８ａにより、上部揺動体２ａに固定されているので、揺動体２の内部で設置された当初の位置を維持することができる。そのため、乳児や幼児が使用する場合であっても、長期に渡り使用を継続することができる。
【００６６】
〔第２実施形態〕
次に、本発明の起き上がり小法師の第２実施形態について説明する。なお、第１実施形態と同じ構成要素については、同じ符号を付してその説明を省略する。
【００６７】
本実施形態の起き上がり小法師９は、使用者が揺動体２の内側を外部から視認可能に形成されている。
【００６８】
＜揺動体９ａ＞
本実施形態の起き上がり小法師９の揺動体９ａは、図６に示すように、第１実施形態の起き上がり小法師１の揺動体２と同様に、上部揺動体９ｂと下部揺動体９ｃとを有する。しかし、揺動体９ａは、揺動体２とは異なり、略球状に形成されている。つまり、上部揺動体９ｂと、下部揺動体９ｃは、半球状に形成されている。
【００６９】
＜上部揺動体９ｂ＞
上部揺動体９ｂは、上部揺動体２ａと異なり、半透明又は透明の熱可塑性樹脂により形成されている。上部揺動体９ｂは、上部揺動体２ａと同様に、真空成形により製造される。
【００７０】
上部揺動体９ｂは、図７に示すように、その内面に、第一装飾部２ｄが形成されている。第一装飾部２ｄは、上部揺動体２ａの外面を外側から見られるのを想定して施されている。
第一装飾部２ｄは、その内面に顔料が塗布されて形成されている。
なお、図７において、説明のため、第一装飾部２ｄをある程度の厚みを持たせて表しているが、実際には、後述する後述する第二装飾部９ｅや第三装飾部９ｆと同様に、薄く形成されていてもよい。
【００７１】
上部揺動体２ａが半透明又は透明であるため、使用者に外部から視認される。
上部揺動体９ｂは、図７に示すように、その内面の一部にのみ第一装飾部２ｄが形成されており、上部揺動体９ｂから揺動体２の内部を視認することができる。具体的には、上部揺動体９ｂの外部から、後述する第二装飾部９ｅや第三装飾部９ｆを視認することができる。
【００７２】
上部揺動体９ｂには、図６に示すように、上部揺動体２ａと異なり、頂上付近に固定手段８である第二固定部材９ｄが設けられている。
第二固定部材９ｄは、円板状に形成されており、その周縁の全周が上部揺動体９ｂの内面と当接する。
【００７３】
第二固定部材９ｄの上側の面には、第二装飾部９ｅが形成されている。第二装飾部９ｅは、外部から第二固定部材９ｄの上面が視認されることを想定して施されている。
第二装飾部９ｅには、第一装飾部２ｄと同じモチーフの絵図が施されている。
【００７４】
第二固定部材９ｄの下側の面には、図６に示すように、ケース５が固定されている。ケース５は、第二固定部材９ｄに固定されていることにより、ケース５の上蓋５ｂが固定されている状態が外部から視認し難くなっている。このため、起き上がり小法師９は、ケース５が外部から視認できる状態でも、美感を維持できる。
【００７５】
＜下部揺動体９ｃ＞
下部揺動体９ｃは、上部揺動体９ｂと同様に、透明に形成されており、その内面の一部には、図５に示すように、第一装飾部２ｄが形成されている。下部揺動体９ｃに形成された第一装飾部２ｄも、上部揺動体９ｂに形成された第一装飾部２ｄと同様に、その外面を外側から見られるのを想定して施されている。
下部揺動体９ｃは、上部揺動体９ｂと同様に、真空成形により製造される。
【００７６】
＜ケース５＞
ケース５は、図６に示すように、下蓋９ｇを有する。
下蓋９ｇは、吊下げ部材５ｄを有しない点を除き、上蓋５ｂとほぼ同じ形状に形成されている。下蓋９ｇは、上蓋５ｂと上下を逆にして用いられる。
下蓋９ｇの底部には、図６に示すように、第一錘体６が載置される。
本実施形態において、下蓋９ｇは、下部揺動体９ｃに接着剤などを用いて固定されていない。下蓋９ｇは、ケース５の位置が変わらないように、下部揺動体９ｃに押し当てられている。
【００７７】
ケース５は、本体５ａの外周面に、第三装飾部９ｆを有する。第三装飾部９ｆは、外部から本体５ａの外周面が視認されることを想定して施されている。
第三装飾部９ｆには、第一装飾部２ｄと同じモチーフの絵図が施されている。
ケース５は、下蓋５ｂが下部揺動体９ｃと接触している。
【００７８】
＜起き上がり小法師９の製造方法＞
次に、起き上がり小法師９の製造方法について説明する。
起き上がり小法師９の製造方法は、第１実施形態と同様に、上部揺動体９ｂと下部揺動体９ｃの成型工程、内部構成手段４の設置工程、及び起き上がり小法師１の形成工程を含む。以下に、各工程の第１実施形態と異なる点について、重点的に説明する。
なお、以下に説明する起き上がり小法師１の製造方法は、一例であり、これに限定されない。また、既にケース５の内に第一錘体６と音発生手段７を設置してあるものとする。
【００７９】
＜上部揺動体９ｂと下部揺動体９ｃの成型工程＞
上部揺動体９ｂと下部揺動体９ｃは、第１実施形態と同様に、真空成形により製造する。
しかし、第１実施形態と異なり、形成させた円板の面のうち、成型したときに内面になる側の面に、成形したときに所望の絵図となるように顔料を塗布する。顔料が塗布された円板を、真空成形型を用いて上部揺動体２ａと下部揺動体９ｃを作製する。
【００８０】
＜内部構成手段４の設置工程＞
次に、内部構成手段４の設置工程について説明する。
本工程は、固定手段８を上部揺動体９ｂに取り付ける工程と、音発生手段７を下部揺動体９ｃに取り付ける工程とを有する。
最初に、上部揺動体９ｂの頂上付近に、固定手段８である第二固定部材９ｄを取り付ける工程について説明する。
まず、第二固定部材９ｄを上部揺動体９ｂに入れる。第二固定部材９ｄを軸方向の上側に入れていくと、軸方向の所望の位置で、第二固定部材９ｄの周縁が上部揺動体９ｂに当接するので、第二固定部材９ｄと上部揺動体９ｂの隙間に接着剤を投入する。これにより、固定手段８を上部揺動体９ｂに取り付けることができる。
【００８１】
次に、音発生手段７を上部揺動体９ｂに取り付ける工程について説明する。
本工程において、音発生手段７が設置されたケース５を、第二固定部材９ｄに接着剤などを用いて取付ける。これにより、第一錘体６と、音発生手段７を揺動体２の中に設置することができる。
なお、第二固定部材９ｄにケース５を固定させた後に、ケース５を上部揺動体９ｂに固定させてもよい。
【００８２】
＜起き上がり小法師９の形成工程＞
次に、起き上がり小法師９の形成工程について説明する。
本工程において、上述する内部構成手段４の設置工程により、音発生手段７が取り付けられた下部揺動体９ｃを、第一固定部材８ａが取り付けられた上部揺動体２ａに嵌める。
具体的には、上部揺動体９ｂの開口部２ｂを、下部揺動体９ｃの差し込み部３ｄを嵌め込む。そうすると、ケース５の下蓋９ｇが、下部揺動体９ｃに押し当てられる。これにより、ケース５のした側が固定される。
【００８３】
＜起き上がり小法師９により奏される効果＞
本実施形態によれば、図６に示すように、第二固定部材９ｄにより、ケース５を揺動体２の内部に設置した際に、その設置箇所が使用者から見えないようにすることができる。このため、第１実施形態の第一固定部材８ａと同様に、固定手段８としても効果を有する他に、揺動体２の内部が見えるようにしていても、美感に優れている。
また、下部揺動体９ｃに接着剤を塗布する工程を省くことができるので、製作者の作業効率を上げることができる。
【００８４】
また、第一装飾部２ｄだけでなく、第二装飾部９ｅと第三装飾部９ｆが形成されていることにより、それぞれの装飾部の絵図の組合せ等により、使用者により強い興味を与えることができ、遊戯性を高めることができる。
【００８５】
〔第３実施形態〕
次に、本発明の起き上がり小法師の第３実施形態について説明する。なお、第１実施形態と同じ構成要素については、同じ符号を付してその説明を省略する。
【００８６】
本実施形態の起き上がり小法師１ｂは、図８（ａ）及び（ｂ）に示すように、第１実施形態の起き上がり小法師１や、第２実施形態揺動体２の起き上がり小法師１ａと異なり、ケース５に不規則な揺動をさせるための揺動手段１０を有する。
具体的には、揺動手段として、第二錘体１０ａを有する。
【００８７】
第二錘体１０ａは、図７（ａ）及び（ｂ）に示すように、下部揺動体３ａの内側の側面に取付けられる。これにより、揺動体２が半径方向の外側の何れの方向に揺動するかによって、その揺動の程度が異なる。つまり、図９に示すように、半径方向の何れの方向から揺動体２に働く力Ｆ２の方向によって、その揺動の程度が異なる。
なお、図９は、起き上がり小法師１ｂの使用時の揺動の程度が異なることを明確に示すため、実際よりも揺動の程度を極端に示している。
【００８８】
具体的には、図９（ａ）に示すように、起き上がり小法師１ｂには、重力により、半径方向の内側から第二錘体１０ａが取付けられている側に傾こうとする力Ｆ１が働いている。
そして、力Ｆ１の方向に対する力Ｆ２の角度θが大きいほど、力Ｆ１と力Ｆ２の合力Ｆ３が小さくなるので、起き上がり小法師１ｂの揺動の程度が小さくなる。
【００８９】
例えば、図９（ａ）に示すように、力Ｆ２の向きが力Ｆ１とは正反対の場合には、角度θが１８０°と最も大きくなる。そして、この場合の、合力Ｆ３は、力Ｆ２と力Ｆ１の差分であり、最も小さくなる。よって、揺動の程度が小さくなる。
この場合の力Ｆ３の向きは、力Ｆ２の向きと略同じになる。
【００９０】
また、図９（ｂ）に示すように、角度θが鈍角の場合には、角度θが１８０°の時に比べて、合力Ｆ３が大きくなるので、揺動の程度は大きくなる。
そして、力Ｆ２と合力Ｆ３の方向が異なるので、実際に揺動体２が傾く方向が異なる。
【００９１】
さらに、図９（ｃ）に示すように、角度θが鈍角の場合には、角度θが鈍角の時に比べて、合力Ｆ３が大きくなるので、揺動の程度は大きくなる。
そして、力Ｆ２と合力Ｆ３の方向が異なるので、実際に揺動体２が傾く方向が異なる。
【００９２】
このように、力Ｆ２の方向によって、その揺動の程度が異なる。また、押した方向と異なる方向に揺動するので、揺動体２は、不規則に揺動することになる。
【００９３】
第二錘体１０ａは、起き上がり小法師１が静止状態において所望の起き上がった状態が維持される程度の質量で形成されている。第二錘体８ａは、たとえば粘着テープなどで下部揺動体３ａに取り付けられる。
【００９４】
＜起き上がり小法師１ｃにより奏される効果＞
以上のように構成される揺動手段８により、ケース５は、使用時に、不規則な揺動をするようになる。具体的には、起き上がり小法師１の使用時に、揺動体２は、下部揺動体３ａに取付けられた第二錘体８ａにより、不規則的な揺動をすることになる。このため、起き上がり小法師１を同じように使用しても、異なる音の組合せを生じさせる。
【００９５】
これまで、第１実施形態と第２実施形態を挙げて本発明を説明したが、本発明はこれらに限定されない。例えば、固定手段８について、第一固定部材８ａと第二固定部材９ｄを挙げて説明したが、本発明はこれに限定されない。例えば、第一固定部材８ａの当接部８ｃを環状でなく、複数の突起が、同心円上に配置されたものでもよい。また、第二固定部材９ｄは、円板状ではなく、多角形状に形成されていてもよい。
【００９６】
また、第１実施形態及び第２実施形態において、固定手段８がケース５の上側と当接する例を示したが、本発明はこれに限定されない。ケース５の中程と当接するようにしてもよい。揺動体２の形状によっては、固定手段８に第二固定部材９ｄのように第二装飾部９ｅを設けた場合に、第二装飾部９ｅの面積を広くすることができる。
【００９７】
さらに、第一実施形態において、振動発音棒７ａ〜７ｇは、振動発音棒７ａから順に、振動発音棒７ｇまで、時計回りに配置されているが、本発明はこれに限定されない。振動発音棒７ａ〜７ｇが反時計回りに配置されていてもよい。
【００９８】
また、第一実施形態において、７個の振動発音棒が用いられているが、本発明はこれに限定されない。振動発音棒の数が奇数となるのであれば、７個より少なくてもよく、また、７個より多くてもよい。
【００９９】
また、第２実施形態において、下部揺動体３ａの開口部３ｂには、半径方向の内側に伸びる庇部３ｃが形成されていてもよい。これにより、第二錘体１０ａが下部揺動体９ｃに取付けられても、第二錘体１０ａを目立たなくすることができる。
【０１００】
また、第２実施形態において、第二錘体１０ａは、一つだけ下部揺動体９ｃに取り付けられていたが、本発明は、これに限定されない。例えば、１２０°おきに３つ取付けてもよく、９０°おきに４つ取付けてもよい。また、複数設ける場合に、質量のそれぞれ異なる第二錘体１０ａを用いてもよい。
【０１０１】
さらに、第２実施形態のように、揺動体の内部を外部から視認できる場合には、下部揺動体の内面を外側から見られるのを想定して装飾部が形成されていてもよい。例えば、下部揺動体が、下部揺動体３ａと同様に、色を有する熱可塑性樹脂により形成されて、下部揺動体３ａを通して内部が視認できない場合には、下部揺動体の外側の面に第一装飾部２ｄを形成させ、さらに、内側の面にも装飾部を形成させることができる。
【０１０２】
さらにまた、第２実施形態において、第二装飾部９ｅと第三装飾部９ｆに、第一装飾部２ｄと同じモチーフの図絵が施されているが、本発明はこれに限定されない。複数の装飾部のそれぞれに、物語性のある絵図を施してもよい。例えば、昔話の「桃太郎」を表現するものとして、第三装飾部９ｆに桃の絵が施され、下部揺動体９ｃの第一装飾部２ｄに桃が流れる川の絵が施され、上部揺動体９ｂの第一装飾部２ｄに桃を拾おうとするお婆さんの絵が施され、第三装飾部９ｆに「ももたろう」という文字とともに、桃太郎が犬、雉、猿をお供に連れているという特徴的な場面の絵を施したものが挙げられる。これにより、使用者が興味を持って長期に使用してくれることもある。
【０１０３】
また、第２実施形態において、第一装飾部２ｄ、第二装飾部９ｅ、及び第三装飾部９ｆが形成されているが、本発明はこれに限定されない。例えば、第一装飾部２ｄと第二装飾部９ｅのみ形成させることや、第一装飾部２ｄと第三装飾部９ｆのみ形成させることもできる。
【０１０４】
また、第１実施形態と第２実施形態において、上部揺動体の開口部に差し込み部がはまり込む構造となっているが、本発明はこの雄雌構造は限定されない。揺動体は、上部揺動体と下部揺動体の互いの開口部の一方を他方の開口部へ嵌入させて重ね合わせた上で、その重合部分を接着剤で接着することができる。
【産業上の利用可能性】
【０１０５】
本発明は、以上のように構成したので、使用者に長期に渡り使用される起き上がり小法師を提供することを可能にする。
【符号の説明】
【０１０６】
１          起き上がり小法師
２          揺動体
２ａ        上部揺動体
２ｂ        開口部
２ｃ        第一胴部
２ｄ        第二胴部
２ｅ        第三胴部
２ｄ        第一装飾部
３ａ        下部揺動体
３ｂ        開口部
３ｃ        庇部
３ｄ        差し込み部
４          内部構成手段
５          ケース
５ａ        本体
５ｂ        上蓋
５ｄ        吊下げ部材
５ｅ        挿通孔
６          第一錘体
６ａ        挿入穴
７          音発生手段
７ａ〜７ｇ  振動発音棒
７ｈ        打撃槌部
７ｉ        吊り紐
８          固定手段
８ａ        第一固定部材
８ｂ        固定部
８ｃ        当接部
８ｄ        孔
９          起き上がり小法師
９ａ        揺動体
９ｂ        上部揺動体
９ｃ        下部揺動体
９ｄ        第二固定部材
９ｅ        第二装飾部
９ｆ        第三装飾部
９ｇ        下蓋
１０ａ      第二錘体
【図１】
2019170789.tif 000003
【図２】
2019170789.tif 000004
【図３】
2019170789.tif 000005
【図４】
2019170789.tif 000006
【図５】
2019170789.tif 000007
【図６】
2019170789.tif 000008
【図７】
2019170789.tif 000009
【図８】
2019170789.tif 000010
【図９】
2019170789.tif 000011